(57)【特許請求の範囲】
【請求項１】
ネットワークを介して第１の外部装置と通信を行うネットワーク通信部と，
電話回線と接続する電話回線接続部と，
前記電話回線に接続される第２の外部装置との通話に用いる受話器と，
制御部と，
を備え，
前記制御部は，
前記電話回線と接続してファクシミリ通信を行うファクシミリ処理と，
前記受話器が使用されている間，少なくとも前記ネットワークを介して前記第１の外部装置から受け付けた要求に基づく前記ファクシミリ処理の実行を制限し，少なくとも前記ネットワークを介して前記第１の外部装置から受け付けた要求に基づく前記ファクシミリ処理が実行されている間，前記受話器の使用を制限する制限処理と，
を実行可能であり，
前記第１の外部装置から前記ファクシミリ処理の実行要求を受け付け，前記制限処理にて前記実行要求に基づく前記ファクシミリ処理の実行を制限した後，所定時間が経過する前に前記受話器の使用が終了した場合に，前記制限処理で制限した前記実行要求に基づく前記ファクシミリ処理を実行し，前記所定時間が経過した場合に，前記制限処理で制限した前記実行要求に基づく前記ファクシミリ処理を実行しない，
ことを特徴とする画像形成装置。
【請求項２】
ネットワークを介して第１の外部装置と通信を行うネットワーク通信部と，
電話回線と接続する電話回線接続部と，
前記電話回線に接続される第２の外部装置との通話に用いる受話器と，
制御部と，
を備え，
前記制御部は，
前記電話回線と接続してファクシミリ通信を行うファクシミリ処理と，
前記受話器が使用されている間，少なくとも前記ネットワークを介して前記第１の外部装置から受け付けた要求に基づく前記ファクシミリ処理の実行を制限し，少なくとも前記ネットワークを介して前記第１の外部装置から受け付けた要求に基づく前記ファクシミリ処理が実行されている間，前記受話器の使用を制限する制限処理と，
を実行可能であり，
前記制限処理では，前記受話器が使用されている場合に，前記第１の外部装置とのセッションを形成しない，
ことを特徴とする画像形成装置。
【請求項３】
請求項１に記載する画像形成装置において，
前記制御部は，
前記制限処理では，前記受話器が使用されている場合に，前記ファクシミリ通信を行うための操作を制限し，前記ファクシミリ通信を行うための操作以外の操作を制限しないことを特徴とする画像形成装置。
【請求項４】
請求項１から請求項３のいずれか１つに記載する画像形成装置において，
前記制御部は，
前記制限処理にて前記ファクシミリ処理の実行を制限した場合に，前記受話器が使用中である旨を前記第１の外部装置に報知させる第１制限報知処理を実行することを特徴とする画像形成装置。
【請求項５】
請求項１から請求項４のいずれか１つに記載する画像形成装置において，
前記制御部は，
前記制限処理にて前記受話器の使用を制限した場合に，前記電話回線が使用中である旨を報知する第２制限報知処理を実行することを特徴とする画像形成装置。
【請求項６】
請求項１から請求項５のいずれか１つに記載する画像形成装置において，
前記制御部は，
前記制限処理にて前記ファクシミリ処理の実行を制限した後，前記受話器の使用が終了した場合に，前記ファクシミリ処理の実行制限を解除する第１解除処理を実行することを特徴とする画像形成装置。
【請求項７】
請求項６に記載する画像形成装置において，
前記制御部は，
前記第１解除処理にて前記ファクシミリ処理の実行制限を解除した場合に，前記ファクシミリ処理を実行できる旨を前記第１の外部装置に報知させる第１解除報知処理を実行することを特徴とする画像形成装置。
【請求項８】
請求項１から請求項７のいずれか１つに記載する画像形成装置において，
前記制御部は，
前記制限処理にて前記受話器の使用を制限した後，前記ファクシミリ処理の実行を終了した場合に，前記受話器の使用制限を解除する第２解除処理を実行することを特徴とする画像形成装置。
【請求項９】
請求項８に記載する画像形成装置において，
前記制御部は，
前記第２解除処理にて前記受話器の使用制限を解除した場合に，前記受話器が使用できる旨を報知する第２解除報知処理を実行することを特徴とする画像形成装置。
【請求項１０】
ネットワークを介して第１の外部装置と通信を行うネットワーク通信部と，
電話回線と接続する電話回線接続部と，
前記電話回線に接続される第２の外部装置との通話に用いる受話器と，
を備える画像形成装置の制限方法であって，
前記電話回線と接続してファクシミリ通信を行うファクシミリステップと，
前記受話器が使用されている間，少なくとも前記ネットワークを介して前記第１の外部装置から受け付けた要求に基づく前記ファクシミリ通信を制限し，少なくとも前記ネットワークを介して前記第１の外部装置から受け付けた要求に基づく前記ファクシミリ通信が行われている間，前記受話器の使用を制限する制限ステップと，
を含み，
前記第１の外部装置から前記ファクシミリ通信の実行要求を受け付け，前記制限ステップにて前記実行要求に基づく前記ファクシミリ通信を制限した後，所定時間が経過する前に前記受話器の使用が終了した場合に，前記制限ステップで制限した前記実行要求に基づく前記ファクシミリ通信を行い，前記所定時間が経過した場合に，前記制限ステップで制限した前記実行要求に基づく前記ファクシミリ通信を行わない，
ことを特徴とする制限方法。
【請求項１１】
ネットワークを介して第１の外部装置と通信を行うネットワーク通信部と，
電話回線と接続する電話回線接続部と，
前記電話回線に接続される第２の外部装置との通話に用いる受話器と，
を備える画像形成装置の制限方法であって，
前記電話回線と接続してファクシミリ通信を行うファクシミリステップと，
前記受話器が使用されている間，少なくとも前記ネットワークを介して前記第１の外部装置から受け付けた要求に基づく前記ファクシミリ通信を制限し，少なくとも前記ネットワークを介して前記第１の外部装置から受け付けた要求に基づく前記ファクシミリ通信が行われている間，前記受話器の使用を制限する制限ステップと，
を含み，
前記制限ステップでは，前記受話器が使用されている場合に，前記第１の外部装置とのセッションを形成しない，
ことを特徴とする制限方法。
【請求項１２】
ネットワークを介して第１の外部装置と通信を行うネットワーク通信部と，
電話回線と接続する電話回線接続部と，
前記電話回線に接続される第２の外部装置との通話に用いる受話器と，
を備える画像形成装置に，
前記電話回線と接続してファクシミリ通信を行うファクシミリ処理と，
前記受話器が使用されている間，少なくとも前記ネットワークを介して前記第１の外部装置から受け付けた要求に基づく前記ファクシミリ処理の実行を制限し，少なくとも前記ネットワークを介して前記第１の外部装置から受け付けた要求に基づく前記ファクシミリ処理が実行されている間，前記受話器の使用を制限する制限処理と，
を実行させることが可能であり，
前記第１の外部装置から前記ファクシミリ処理の実行要求を受け付け，前記制限処理にて前記実行要求に基づく前記ファクシミリ処理の実行を制限させた後，所定時間が経過する前に前記受話器の使用が終了した場合に，前記制限処理で制限させた前記実行要求に基づく前記ファクシミリ処理を実行させ，前記所定時間が経過した場合に，前記制限処理で制限させた前記実行要求に基づく前記ファクシミリ処理を実行させない，
プログラムを記憶することを特徴とする記憶媒体。
【請求項１３】
ネットワークを介して第１の外部装置と通信を行うネットワーク通信部と，
電話回線と接続する電話回線接続部と，
前記電話回線に接続される第２の外部装置との通話に用いる受話器と，
を備える画像形成装置に，
前記電話回線と接続してファクシミリ通信を行うファクシミリ処理と，
前記受話器が使用されている間，少なくとも前記ネットワークを介して前記第１の外部装置から受け付けた要求に基づく前記ファクシミリ処理の実行を制限し，少なくとも前記ネットワークを介して前記第１の外部装置から受け付けた要求に基づく前記ファクシミリ処理が実行されている間，前記受話器の使用を制限する制限処理と，
を実行させることが可能であり，
前記制限処理では，前記受話器が使用されている場合に，前記第１の外部装置とのセッションを形成させない，
プログラムを記憶することを特徴とする記憶媒体。
【発明の詳細な説明】
【技術分野】
【０００１】
本発明は，通話機能とファクシミリ機能とを有する画像形成装置，制限方法，および記憶媒体に関する。さらに詳細には，外部装置から画像形成装置のファクシミリ機能を利用する場合の技術に関するものである。
【背景技術】
【０００２】
従来から，電話回線を利用する機能として，受話器を使用して通話を行う通話機能と，画像データを転送するファクシミリ通信を行うファクシミリ機能とを有する画像形成装置が実用化されている。また近年，スマートフォン等の外部装置から，画像形成装置のファクシミリ機能を利用する技術が知られている。
【０００３】
外部装置から画像形成装置の機能を利用する技術としては，例えば特許文献１がある。特許文献１では，タブレット型のモバイル装置と通信する画像形成装置であって，モバイル装置の位置情報を取得し，モバイル装置との距離が近い場合に，当該画像形成装置への操作を許可する構成が開示されている。
【先行技術文献】
【特許文献】
【０００４】
【特許文献１】特開２０１３−１８３２１５号公報
【発明の概要】
【発明が解決しようとする課題】
【０００５】
しかしながら，前記した従来の技術には，次のような問題があった。すなわち，外部装置からの要求に応じて画像形成装置がファクシミリ通信を行っている最中に，ユーザによって画像形成装置の受話器が使用されると，実行中のファクシミリ通信と受話器を介しての通話との少なくとも一方に悪影響を及ぼすおそれがある。また，画像形成装置の受話器を介しての通話中に，外部装置からファクシミリ通信の実行要求を受け付けた場合にも，悪影響が懸念される。
【０００６】
本発明は，前記した従来の技術が有する問題点を解決するためになされたものである。すなわちその課題とするところは，通話機能とファクシミリ機能とを有する画像形成装置であって，外部装置からの要求に応じてファクシミリ通信を行う際の，相互の機能への影響を軽減する技術を提供することにある。
【課題を解決するための手段】
【０００７】
この課題の解決を目的としてなされた画像形成装置は，ネットワークを介して第１の外部装置と通信を行うネットワーク通信部と，電話回線と接続する電話回線接続部と，前記電話回線に接続される第２の外部装置との通話に用いる受話器と，制御部とを備え，前記制御部は，前記電話回線と接続してファクシミリ通信を行うファクシミリ処理と，前記受話器が使用されている間，少なくとも前記ネットワークを介して前記第１の外部装置から受け付けた要求に基づく前記ファクシミリ処理の実行を制限し，少なくとも前記ネットワークを介して前記第１の外部装置から受け付けた要求に基づく前記ファクシミリ処理が実行されている間，前記受話器の使用を制限する制限処理とを実行することを特徴としている。
【０００８】
本明細書に開示される画像形成装置は，電話回線を利用する機能として，受話器を使用した通話機能と，ファクシミリ機能とを有している。そして，画像形成装置は，受話器が使用されている間，ファクシミリ処理の実行を制限し，ファクシミリ処理が実行されている間，受話器の使用を制限する。なお，画像形成装置は，受話器が使用されている間，少なくともファクシミリ処理の実行が制限されればよく，印刷処理や読取処理等，電話回線と接続しない処理については実行を制限してもしなくてもよい。また，受話器の使用制限については，少なくともファクシミリ処理が実行されている間であればよく，印刷処理や読取処理等，電話回線と接続しない処理が実行されている間は，受話器の使用を制限してもしなくてもよい。
【０００９】
すなわち，本明細書に開示される画像形成装置では，受話器を使用する期間と，ネットワークを介して第１の外部装置から受け付けた要求に基づくファクシミリ通信を行う期間と，を排他的に制御する。これにより，通話機能と，ファクシミリ機能とが，同時に実行される機会が低減され，その結果として相互の機能への悪影響の軽減が期待できる。
【００１０】
また，前記制御部は，前記制限処理では，前記受話器が使用されている場合に，前記ファクシミリ処理の実行要求を含む前記ネットワークを介した前記第１の外部装置からの自装置に対する要求を制限するとよい。受話器の使用中，第１の外部装置からの自装置に対する要求を制限することで，確実に通話機能への影響を回避できる。
【００１１】
また，前記制御部は，前記制限処理では，前記受話器が使用されている場合に，前記ファクシミリ通信を行うための操作を制限し，前記ファクシミリ通信を行うための操作以外の操作を制限しない構成でもよい。受話器を使用中であっても，ファクシミリ通信に関連しない操作であれば通話機能への影響は小さい。そのため，ファクシミリ通信を行うための操作以外の操作は受け付けることで，第１の外部装置のユーザの利便性を確保できる。なお，ファクシミリ通信を行うための操作としては，ファクシミリ処理の実行要求を入力する操作の他，例えば，複数の機能の中からファクシミリ機能の利用を選択する操作が該当する。
【００１２】
また，前記制御部は，前記制限処理にて前記ファクシミリ処理の実行を制限した場合に，前記受話器が使用中である旨を前記第１の外部装置に報知させる第１制限報知処理を実行するとよい。ファクシミリ処理の実行を制限すると，第１の外部装置のユーザに自装置の故障等の誤解を与えるおそれがある。受話器が使用中である旨を第１の外部装置に報知させることで，第１の外部装置のユーザがファクシミリ処理を実行できない理由を知ることになり，当該ユーザの誤解を軽減できる。
【００１３】
また，前記制御部は，前記制限処理にて前記受話器の使用を制限した場合に，前記電話回線が使用中である旨を報知する第２制限報知処理を実行するとよい。受話器の使用を制限すると，自装置のユーザに受話器の故障等の誤解を与えるおそれがある。電話回線が使用中である旨を報知することで，自装置のユーザが受話器を使用できない理由を知ることになり，当該ユーザの誤解を軽減できる。
【００１４】
また，前記制御部は，前記制限処理にて前記ファクシミリ処理の実行を制限した後，前記受話器の使用が終了した場合に，前記ファクシミリ処理の実行制限を解除する第１解除処理を実行するとよい。受話器の使用が終了した後は，ファクシミリ処理を制限する必要が無くなるため，ファクシミリ処理の実行制限を解除する方が好ましい。
【００１５】
また，前記制御部は，前記第１解除処理にて前記ファクシミリ処理の実行制限を解除した場合に，前記ファクシミリ処理を実行できる旨を前記第１の外部装置に報知させる第１解除報知処理を実行するとよい。ファクシミリ処理の実行制限を解除した後は，その旨を速やかに第１の外部装置に報知させることで，画像形成装置の利便性を確保できる。
【００１６】
また，前記制御部は，前記制限処理にて前記受話器の使用を制限した後，前記ファクシミリ処理の実行を終了した場合に，前記受話器の使用制限を解除する第２解除処理を実行するとよい。ファクシミリ処理が終了した後は，受話器の使用を制限する必要が無くなるため，受話器の使用制限を解除する方が好ましい。
【００１７】
また，前記制御部は，前記第２解除処理にて前記受話器の使用制限を解除した場合に，前記受話器が使用できる旨を報知する第２解除報知処理を実行するとよい。受話器の使用制限を解除した後は，その旨を速やかに報知することで，画像形成装置の利便性を確保できる。
【００１８】
上記画像形成装置の機能を実現するための制御方法，コンピュータプログラム，および当該コンピュータプログラムを格納するコンピュータ読取可能な記憶媒体も，新規で有用である。
【発明の効果】
【００１９】
本発明によれば，通話機能とファクシミリ機能とを有する画像形成装置であって，外部装置からの要求に応じてファクシミリ通信を行う際の，相互の機能への影響を軽減する技術が実現される。
【図面の簡単な説明】
【００２０】
【図１】実施の形態にかかる画像処理システムの構成を示すブロック図である。
【図２】ファクシミリ通信中の概念を示す図である。
【図３】通話中の概念を示す図である。
【図４】第１の形態にかかるセッション要求処理の手順を示すフローチャートである。
【図５】第１の形態にかかる通話処理の手順を示すフローチャートである。
【図６】第２の形態にかかるセッション要求処理の手順を示すフローチャートである。
【図７】第２の形態にかかる通話処理の手順を示すフローチャートである。
【発明を実施するための形態】
【００２１】
以下，本実施形態にかかる画像形成装置について，添付図面を参照しつつ詳細に説明する。本形態は，読取機能，印刷機能，および画像データの転送を行うファクシミリ機能を有する複合機（ＭＦＰ：Multi Function Peripheral）に本発明を適用したものである。
【００２２】
［画像処理システムの全体構成］
本形態の画像処理システム９００は，図１に示すように，ＭＦＰ１００と，モバイル装置２００と，ファクシミリ装置３００と，電話器４００とを備えている。ＭＦＰ１００と通信するデバイスは，図示されたモバイル装置２００等の他にも何台接続されていてもよい。ＭＦＰ１００は，画像形成装置の一例である。
【００２３】
本形態の画像処理システム９００では，モバイル装置２００とＭＦＰ１００との間で，無線通信によるデータの受け渡しが可能になっている。データの受け渡しは，不図示のアクセスポイントを介して行ってもよいし，装置間で直接行ってもよい。モバイル装置２００は，第１の外部装置の一例である。なお，画像処理システム９００は，サーバあるいはアクセスポイントを備え，モバイル装置２００からサーバあるいはアクセスポイントを介してＭＦＰ１００と通信してもよい。
【００２４】
また，本形態の画像処理システム９００では，ＭＦＰ１００と，ファクシミリ装置３００および電話器４００とが，電話回線（公衆回線）を介して接続している。そのため，ＭＦＰ１００とファクシミリ装置３００との間で，ファクシミリ通信が可能である。また，ＭＦＰ１００と電話器４００の間で，通話が可能である。電話器４００は，第２の外部装置の一例である。
【００２５】
［ＭＦＰの構成］
続いて，ＭＦＰ１００の概略構成について説明する。ＭＦＰ１００は，図１に示したように，ＣＰＵ３１と，ＲＯＭ３２と，ＲＡＭ３３と，ＮＶＲＡＭ（Non Volatile RAM）３４とを備えるコントローラ３０を有している。なお，図１中のコントローラ３０は，ＣＰＵ３１等，ＭＦＰ１００の制御に利用されるハードウェアを纏めた総称であって，実際にＭＦＰ１００に存在する単一のハードウェアを表すとは限らない。
【００２６】
ＲＯＭ３２には，ＭＦＰ１００を制御するための制御プログラムであるファームウェアや各種設定，初期値等が記憶されている。ＲＡＭ３３およびＮＶＲＡＭ３４は，各種制御プログラムが読み出される作業領域として，あるいはデータを一時的に記憶する記憶領域として利用される。
【００２７】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ１００の各構成要素を制御する。ＣＰＵ３１は，制御部の一例である。なお，コントローラ３０が制御部の一例であってもよい。
【００２８】
また，ＭＦＰ１００は，シートに画像を印刷する画像形成部１０と，原稿の画像を読み取る画像読取部１１と，表示機能と入力機能とを兼ねる操作パネル４０と，受話器４１と，無線ＬＡＮインターフェース３６と，電話回線インターフェース３７とを有し，これらがＣＰＵ３１によって制御される。
【００２９】
画像形成部１０は，カラー印刷が可能であってもモノクロ印刷のみが可能であってもよい。また，印刷方式についても，電子写真方式であってもインクジェット方式であってもよい。また，画像読取部１１は，カラースキャンが可能であってもモノクロスキャンのみが可能であってもよい。また，読取機構についても，ＣＣＤであってもＣＩＳであってもよい。
【００３０】
無線ＬＡＮインターフェース３６は，ＩＥＥＥの８０２．１１の規格およびそれに準ずる規格に基づいて，無線通信を可能にするインターフェースである。本形態では，ＷｉＦｉ方式での無線通信を行う。ＭＦＰ１００は，無線ＬＡＮインターフェース３６を介してモバイル装置２００から送信されるデータを受信する。さらに，ＭＦＰ１００は，無線ＬＡＮインターフェース３６を介してモバイル装置２００にデータを送信する。無線ＬＡＮインターフェース３６は，ネットワーク通信部の一例である。
【００３１】
電話回線インターフェース３７は，電話回線接続を制御するＮＣＵと，音声信号とデジタル信号との変調を行うモデムとを備え，電話回線を使用した通信を可能にするインターフェースである。ＭＦＰ１００は，電話回線インターフェース３７を介してファクシミリ装置３００との間でファクシミリ通信を行う。さらに，ＭＦＰ１００は，電話回線インターフェース３７を介して電話器４００のユーザとの通話を可能にする。電話回線インターフェース３７は，電話回線接続部の一例である。
【００３２】
操作パネル４０は，ＭＦＰ１００の外装に設けられ，ユーザ入力を受け付ける各種のボタンと，メッセージや設定内容を表示するタッチパネルとを有している。各種のボタンとしては，例えば，画像処理の開始指示を入力するＯＫボタンや，画像処理のキャンセル指示を入力するキャンセルボタンがある。また，タッチパネルは，ユーザがタッチ操作することによっても各種の入力が可能であり，例えば，各種の設定やユーザ情報がタッチパネルから入力される。
【００３３】
受話器４１は，マイクとスピーカとを内蔵し，音声の入力および出力に用いられる。受話器４１は，受話器４１の置き台から外された状態で使用中となり，当該置き台に置かれた状態で非使用中となる。
【００３４】
［モバイル装置の構成］
続いて，モバイル装置２００の概略構成について説明する。モバイル装置２００は，ＣＰＵ，ＲＯＭ，ＲＡＭ，ＨＤＤ等を有するコントローラ５０を備えている。また，モバイル装置２００は，表示機能と入力機能とを兼ねる操作部６０と，無線ＬＡＮインターフェース５５と，電話部７０とを有し，これらがコントローラ５０によって制御される。モバイル装置２００の具体例としては，スマートフォンやタブレット型のＰＣが該当する。
【００３５】
操作部６０は，モバイル装置２００の前面に設けられ，ユーザ入力を受け付ける各種のボタンと，メッセージや設定内容を表示するタッチパネルとを有している。また，タッチパネルは，ユーザがタッチ操作することによっても各種の入力が可能であり，例えば，画像を印刷させるジョブや画像を転送させるジョブがタッチパネルへの操作によって入力される。
【００３６】
無線ＬＡＮインターフェース５５は，外部装置との通信を可能にするハードウェアである。モバイル装置２００は，無線ＬＡＮインターフェース５５を介して，ＭＦＰ１００に対してジョブの送信を行う。なお，本形態の無線ＬＡＮインターフェース５５は，ＭＦＰ１００の無線ＬＡＮインターフェース３６と同じ通信方式である。
【００３７】
電話部７０は，マイク，スピーカ，電話回線インターフェース等，電話機能を実現するためのハードウェアで構成される，不図示の基地局との間で携帯電話の通信方式（例えば，Ｗ−ＣＤＭＡ）に準ずる規格に基づいて，無線通信を可能にするインターフェースである。電話部７０は，電話や，基地局を介したインターネット接続などに用いられる。
【００３８】
また，モバイル装置２００には，ＯＳや，インターネット上のファイルを閲覧するためのブラウザ，各種のデバイスを制御するデバイスドライバ等が組み込まれている。また，ＭＦＰ１００に印刷，読み取り，データ転送等を実行させるジョブを受け付けるアプリケーションプログラム（以下，「アプリ」とする）も記憶されている。データ転送には，ファクシミリ通信によるデータの送信も含まれる。
【００３９】
［ＭＦＰの動作］
［リモート通信の概要］
続いて，ＭＦＰ１００がモバイル装置２００から要求されたジョブを実行するための動作について説明する。ＭＦＰ１００は，モバイル装置２００との間で無線ＬＡＮインターフェース３６を介したリモート通信を行うため，モバイル装置２００からの通信を許可する状態となるセッションを形成する。
【００４０】
具体的に，モバイル装置２００からＭＦＰ１００を利用する場合，モバイル装置２００に記憶されているＭＦＰ１００を制御するためのアプリを起動する。モバイル装置２００は，そのアプリを介してＭＦＰ１００の利用開始の要求を受け付けると，ＭＦＰ１００に対してセッションの形成要求を送信する。
【００４１】
ＭＦＰ１００は，モバイル装置２００からセッションの形成要求を受け付けると，モバイル装置２００との通信を許可する場合にセッションを形成する。なお，ＭＦＰ１００は，他の装置との間でセッションが形成されていない場合や，セッションの形成が制限されていない場合には，モバイル装置２００との通信を許可する。モバイル装置２００は，セッションが形成されると，ユーザからのＭＦＰ１００に対する各種の機能の実行要求を受け付ける。
【００４２】
ＭＦＰ１００は，モバイル装置２００とセッションが形成されている間，モバイル装置２００からのジョブを受け付ける。換言すると，ＭＦＰ１００は，モバイル装置２００とセッションが形成されていない場合，モバイル装置２００からのジョブを受け付けない。また，ＭＦＰ１００は，セッションを形成すると，特定のコマンドを除いて操作パネル４０への入力を許可せず，操作パネル４０を介してのジョブの入力を受け付けない。なお，特定のコマンドとしては，例えば，セッションの強制解除コマンドが該当する。
【００４３】
モバイル装置２００は，アプリを介してＭＦＰ１００の利用対象の機能が選択される。ＭＦＰ１００は，印刷，読み取り，ファクシミリ送信が可能であり，これらの中から選択される。さらにモバイル装置２００は，利用対象の機能が選択された後，ジョブが入力されると，当該ジョブの実行要求をＭＦＰ１００に送信する。ＭＦＰ１００は，モバイル装置２００からジョブの実行要求を受け付けると，そのジョブの実行を開始する。
【００４４】
また，ＭＦＰ１００は，モバイル装置２００からセッションの解除要求を受け付けると，セッションを解除する。これにより，他の装置に対するＭＦＰ１００の利用制限が解除される。また，操作パネル４０を介してのジョブの入力制限も解除される。なお，モバイル装置２００からのセッションの解除要求の他，ＭＦＰ１００からモバイル装置２００への問合せに対する応答が無い場合や，一定期間以上モバイル装置２００からの要求が無い場合には，ＭＦＰ１００が自主的にセッションを解除する。
【００４５】
［機能制限の概要］
続いて，ＭＦＰ１００が実行する機能制限について説明する。ＭＦＰ１００は，電話回線インターフェース３７を用いる機能として，ファクシミリ通信機能と通話機能とを有している。そこで，ＭＦＰ１００は，一方の機能の利用中，他方の機能による一方の機能への影響を回避するため，両機能を排他的に利用させる。すなわち，ＭＦＰ１００は，一方の機能の利用中，他方の機能の利用を制限する。
【００４６】
例えば，ＭＦＰ１００がモバイル装置２００からファクシミリ送信ジョブを受け付けた場合，図２に示すように，ＭＦＰ１００は，無線ＬＡＮインターフェース３６を介してモバイル装置２００から画像データを受信し，ファクシミリ装置３００との電話回線を接続し，受信した画像データを電話回線インターフェース３７を介してファクシミリ装置３００に送信する。
【００４７】
このモバイル装置２００からの要求に基づくファクシミリ通信中，ＭＦＰ１００は受話器４１の使用を制限する。具体的にＭＦＰ１００は，受話器４１から出力される信号を無効にする。ファクシミリ通信が終了した後は，ＭＦＰ１００は受話器４１の使用制限を解除する。
【００４８】
一方，ＭＦＰ１００のユーザが受話器４１を使用して電話器４００のユーザと通話を行う場合，図３に示すように，ＭＦＰ１００は，電話器４００との電話回線を接続し，受話器４１のマイクを介して音声を受け付け，その音声データを電話回線インターフェース３７を介して電話器４００に送信する。また，電話器４００から電話回線インターフェース３７を介して受け付けた音声データを，受話器４１のスピーカを介して出力する。
【００４９】
この受話器４１の使用中，ＭＦＰ１００はモバイル装置２００からの要求に基づくファクシミリ通信の実行を制限する。具体的にＭＦＰ１００は，モバイル装置２００との通信を制限にする，あるいはモバイル装置２００との通信は制限しないものの電話回線インターフェース３７の使用を制限する。通話が終了した場合には，ＭＦＰ１００はモバイル装置２００に対する使用制限を解除する。
【００５０】
［使用制限の手順］
続いて，前述した機能制限を実現するＭＦＰ１００の動作について，モバイル装置２００からの要求を受け付けた場合と，受話器４１の使用を開始した場合とに分けて説明する。さらには，モバイル装置２００からの利用を制限する態様として，受話器４１の使用中にモバイル装置２００との通信を制限する態様を第１の形態として，受話器４１の使用中にモバイル装置２００との通信は制限せず，モバイル装置２００からのファクシミリ通信の実行を制限する態様を第２の形態として，それぞれ説明する。
【００５１】
［第１の形態］
［セッション要求処理］
始めに，受話器４１の使用中にモバイル装置２００との通信を制限する第１の形態におけるセッション要求処理について，図４のフローチャートを参照しつつ説明する。セッション要求処理は，モバイル装置２００からセッションの形成要求を受け付けたことを契機に，ＣＰＵ３１によって実行される。
【００５２】
第１の形態のセッション要求処理では，ＭＦＰ１００は先ず，受話器４１が使用中か否かを判断する（Ｓ１０１）。受話器４１が使用中の場合（Ｓ１０１：ＹＥＳ），ＭＦＰ１００はセッションの形成を拒否する（Ｓ１１１）。これにより，モバイル装置２００は，ファクシミリ通信を含むＭＦＰ１００への要求が全て制限される。その結果として，無線ＬＡＮインターフェース３６を介した電話回線インターフェース３７の使用が制限される。Ｓ１１１は，制限処理の一例である。
【００５３】
さらに，ＭＦＰ１００は，受話器４１が使用中である旨のメッセージを報知するようにモバイル装置２００に指示を送信する（Ｓ１１２）。モバイル装置２００は，当該指示を受信すると，自身の操作部６０にメッセージを表示する。メッセージを報知することで，モバイル装置２００のユーザがＭＦＰ１００を使用できない理由を知ることになり，当該ユーザにＭＦＰ１００の故障等の誤解を与える可能性を低減できる。なお，報知方法は，メッセージに限らず，例えば音声ガイダンスであってもよい。Ｓ１１２は，第１制限報知処理の一例である。
【００５４】
その後，ＭＦＰ１００は，受話器４１の使用が継続されているか否かを判断する（Ｓ１１３）。受話器４１の使用が継続されている場合（Ｓ１１３：ＹＥＳ），ＭＦＰ１００はキャンセル条件を満たすか否かを判断する（Ｓ１２１）。キャンセル条件としては，例えば，セッションの形成要求を受信してから所定時間が経過したこと，モバイル装置２００からセッション形成のキャンセル要求を受け付けたことが該当する。
【００５５】
キャンセル条件を満たさない場合には（Ｓ１２１：ＮＯ），Ｓ１１３に移行して，受話器４１の使用の終了あるいはキャンセル条件が満たされるのを待つ。キャンセル条件を満たす場合には（Ｓ１２１：ＹＥＳ），セッション要求処理を終了する。
【００５６】
一方，受話器４１の使用が終了している場合（Ｓ１１３：ＮＯ），ＭＦＰ１００はＭＦＰ１００を使用可能である旨を報知するようにモバイル装置２００に指示を送信する（Ｓ１１４）。モバイル装置２００は，当該指示を受信すると，自身の操作部６０にメッセージを表示する。ＭＦＰ１００は，使用制限を解除した後は，その旨を速やかにモバイル装置２００に報知させることで，ＭＦＰ１００の利便性を確保できる。Ｓ１１４は，第１解除報知処理の一例である。また，Ｓ１１３でＮＯの場合からＳ１０２に移行する処理は，第１解除処理の一例である。
【００５７】
Ｓ１１４の後，あるいは受話器４１が使用中でなければ（Ｓ１０１：ＮＯ），ＭＦＰ１００はセッションを形成するセッション形成処理を行う（Ｓ１０２）。具体的にＳ１０２では，他の装置とのセッションが形成されていなければ，セッションを形成し，他の装置とのセッションが形成されていれば，セッションを形成しない。なお，セッションの形成結果は，モバイル装置２００に送信される。
【００５８】
Ｓ１０２の後，ＭＦＰ１００はセッションが形成されたか否かを判断する（Ｓ１０３）。セッションが形成されなかった場合には（Ｓ１０３：ＮＯ），セッション要求処理を終了する。
【００５９】
セッションが形成された場合（Ｓ１０３：ＹＥＳ），ＭＦＰ１００はその後にモバイル装置２００からのジョブを受信したか否かを判断する（Ｓ１４１）。ジョブを受信した場合には（Ｓ１４１：ＹＥＳ），ＭＦＰ１００は当該ジョブを実行する（Ｓ１４２）。例えば，ファクシミリ通信によって画像データをファクシミリ装置３００に送信するファクシミリ送信ジョブであれば，電話回線インターフェース３７によってファクシミリ装置３００との電話回線を接続し，受信した画像データをファクシミリ装置３００に送信する。この場合，Ｓ１４２は，ファクシミリ処理の一例となる。また，例えば，画像データをシートに印刷させる印刷ジョブであれば，受信した画像データに基づいて画像形成部１０に画像を印刷させる。
【００６０】
Ｓ１４２の後，あるいはジョブを受信していない場合（Ｓ１４１：ＮＯ），ＭＦＰ１００はセッションを解除する解除条件を満たしたか否かを判断する（Ｓ１４３）。解除条件としては，例えば，直近のジョブの終了から所定時間が経過したこと，モバイル装置２００からセッションの解除要求を受け付けたことが該当する。
【００６１】
解除条件を満たしていない場合には（Ｓ１４３：ＮＯ），Ｓ１４１に移行して，ジョブの受信あるいは解除条件が満たされるのを待つ。解除条件を満たす場合には（Ｓ１４３：ＹＥＳ），ＭＦＰ１００はモバイル装置２００との間のセッションを解除する（Ｓ１４４）。Ｓ１４４の後，セッション要求処理を終了する。
【００６２】
［通話処理］
続いて，ファクシミリ通信中に受話器４１の使用を制限する第１の形態における通話処理について，図５のフローチャートを参照しつつ説明する。通話処理は，受話器４１の使用が開始された，すなわち受話器４１が図示しない置き台から持ち上げられたことの検知を契機に，ＣＰＵ３１によって実行される。
【００６３】
第１の形態の通話処理では，ＭＰＦ１００は先ず，外部装置（本形態ではモバイル装置２００）とのセッションが形成されているか否かを判断する（Ｓ１５１）。セッションが形成されている場合，すなわち外部装置がＭＦＰ１００を使用している場合（Ｓ１５１：ＹＥＳ），受話器４１の使用を制限する（Ｓ１６１）。これにより，ＭＦＰ１００のユーザは，受話器４１を使用した通話が制限される。Ｓ１６１は，制限処理の一例である。
【００６４】
さらに，ＭＦＰ１００は，電話回線が使用中である旨のメッセージを操作パネル４０に報知させる（Ｓ１６２）。メッセージを報知することで，ＭＦＰ１００のユーザが受話器４１を使用できない理由を知ることになり，当該ユーザにＭＦＰ１００の故障等の誤解を与える可能性を低減できる。なお，報知方法は，メッセージに限らず，例えば音声ガイダンスであってもよい。Ｓ１６２は，第２制限報知処理の一例である。
【００６５】
その後，ＭＦＰ１００は，セッションが継続して形成されているか否かを判断する（Ｓ１６３）。セッションが継続して形成されている場合（Ｓ１６３：ＹＥＳ），ＭＦＰ１００は受話器４１が置き台に置かれたか否か，すなわち受話器４１が元の位置に戻されたか否かを判断する（Ｓ１７１）。
【００６６】
受話器４１が元の位置に戻されていない場合には（Ｓ１７１：ＮＯ），Ｓ１６３に移行して，セッションの解除あるいは受話器４１が元の位置に戻されるのを待つ。受話器４１が元の位置に戻された場合には（Ｓ１７１：ＹＥＳ），通話処理を終了する。
【００６７】
一方，セッションが解除された場合（Ｓ１６３：ＮＯ），ＭＦＰ１００は受話器４１を使用できる旨を操作パネル４０に報知させる（Ｓ１６４）。受話器４１の使用制限を解除した後は，その旨を速やかに報知することで，ＭＦＰ１００の利便性を確保できる。Ｓ１６４は，第２解除報知処理の一例である。また，Ｓ１６３でＮＯの場合からＳ１９１に移行する処理は，第２解除処理の一例である。
【００６８】
Ｓ１６４の後，あるいはセッションが形成されていなければ（Ｓ１５１：ＮＯ），ＭＦＰ１００は通話の開始条件を満たしたか否かを判断する（Ｓ１９１）。本形態では，通話の相手先の電話番号が入力され，さらにその電話番号に基づいて電話回線が接続された場合に通話の開始条件を満たしたと判断する。通話の開始条件を満たした場合には（Ｓ１９１：ＹＥＳ），通話を開始する（Ｓ１９２）。
【００６９】
Ｓ１９２の後，あるいは通話の開始条件を満たしていない場合（Ｓ１９１：ＮＯ），ＭＦＰ１００は受話器４１が元の位置に戻されたか否かを判断する（Ｓ１９３）。受話器４１が元の位置に戻されていない場合には（Ｓ１９３：ＮＯ），Ｓ１９１に移行して，受話器４１が戻されるあるいは通話の開始条件が満たされるのを待つ。受話器４１が元の位置に戻された場合には（Ｓ１９３：ＹＥＳ），通話処理を終了する。
【００７０】
以上詳細に説明したように第１の形態では，ＭＦＰ１００は，受話器４１を使用する期間と，無線ＬＡＮインターフェース３６を介してモバイル装置２００との間でセッションを形成する期間と，を排他的に制御する。すなわち，ＭＦＰ１００は，受話器４１の使用中，モバイル装置２００とのセッションの形成を制限することで，結果としてモバイル装置２００からの要求に基づくファクシミリ通信を制限する。また，ＭＦＰ１００は，モバイル装置２００とのセッション形成中，受話器４１の使用を制限する。これにより，ＭＦＰ１００では，通話機能と，ファクシミリ機能とが，同時に実行される機会が低減される。そのため，相互の機能への悪影響の軽減が期待できる。
【００７１】
［第２の形態］
［セッション要求処理］
続いて，受話器４１の使用中にモバイル装置２００との通信は制限せず，モバイル装置２００からのファクシミリ通信の実行を制限する第２の形態におけるセッション要求処理について，図６のフローチャートを参照しつつ説明する。なお，第２の形態の処理中，第１の形態と同じ処理については同じ符号を付して説明を省略する。
【００７２】
第２の形態のセッション要求処理では，ＭＦＰ１００は先ず，セッション形成処理を行う（Ｓ１０２）。Ｓ１０２の後，ＭＦＰ１００はセッションが形成されたか否かを判断する（Ｓ１０３）。セッションが形成されなかった場合には（Ｓ１０３：ＮＯ），セッション要求処理を終了する。
【００７３】
セッションが形成された場合（Ｓ１０３：ＹＥＳ），ＭＦＰ１００はその後にモバイル装置２００からのファクシミリ送信ジョブを受信したか否かを判断する（Ｓ２０１）。ファクシミリ送信ジョブを受信した場合には（Ｓ２０１：ＹＥＳ），ＭＦＰ１００は受話器４１を使用中か否かを判断する（Ｓ１０１）。
【００７４】
受話器４１を使用中の場合（Ｓ１０１：ＹＥＳ），ＭＦＰ１００はファクシミリ送信ジョブの実行を拒否する（Ｓ２１１）。これにより，無線ＬＡＮインターフェース３６を介した電話回線インターフェース３７の使用が制限される。Ｓ２１１は，制限処理の一例である。
【００７５】
さらに，ＭＦＰ１００は，ファクシミリ通信が実行不可である旨のメッセージを報知するようにモバイル装置２００に指示を送信する（Ｓ２１２）。モバイル装置２００は，当該指示を受信すると，自身の操作部６０にメッセージを表示する。Ｓ２１２は，第１制限報知処理の一例である。
【００７６】
その後，ＭＦＰ１００は，受話器４１の使用が継続されているか否かを判断する（Ｓ１１３）。受話器４１の使用が継続されている場合（Ｓ１１３：ＹＥＳ），ＭＦＰ１００はキャンセル条件を満たすか否かを判断する（Ｓ２２１）。キャンセル条件としては，例えば，ファクシミリ送信ジョブを受信してから所定時間が経過したこと，モバイル装置２００からファクシミリ送信ジョブのキャンセル要求を受け付けたことが該当する。キャンセル条件を満たさない場合には（Ｓ２２１：ＮＯ），Ｓ１１３に移行して，受話器４１の使用の終了あるいはキャンセル条件の満了を待つ。
【００７７】
一方，受話器４１の使用が終了している場合（Ｓ１１３：ＮＯ），ＭＦＰ１００はファクシミリ通信が使用可能になった旨を報知するようにモバイル装置２００に指示を送信する（Ｓ２１４）。モバイル装置２００は，当該指示を受信すると，自身の操作部６０にメッセージを表示する。Ｓ２１４は，第１解除報知処理の一例である。また，Ｓ１１３でＮＯの場合からＳ２０２に移行する処理は，第１解除処理の一例である。
【００７８】
Ｓ２１４の後，あるいは受話器４１が使用中でなければ（Ｓ１０１：ＮＯ），ＭＦＰ１００はファクシミリ送信ジョブを実行する（Ｓ２０２）。Ｓ２０２は，ファクシミリ処理の一例である。
【００７９】
S２０２の後，あるいはキャンセル条件を満たしている場合（Ｓ２２１：ＹＥＳ），あるいはファクシミリ送信ジョブを受信していない場合（Ｓ２０１：ＮＯ），ＭＦＰ１００はファクシミリ送信ジョブ以外のジョブである非ファクシミリ送信ジョブを受信したか否かを判断する（Ｓ２４１）。非ファクシミリ通信ジョブを受信した場合には（Ｓ２４１：ＹＥＳ），ＭＦＰ１００は当該非ファクシミリ通信ジョブを実行する（Ｓ２４２）。すなわち，ＭＦＰ１００は，非ファクシミリ送信ジョブであれば，受話器４１の使用状態に拘らず実行する。
【００８０】
Ｓ２４２の後，あるいは非ファクシミリ送信ジョブを受信していない場合（Ｓ２４１：ＮＯ），ＭＦＰ１００はセッションを解除する解除条件を満たしたか否かを判断する（Ｓ１４３）。
【００８１】
解除条件を満たさない場合には（Ｓ１４３：ＮＯ），Ｓ２０１に移行して，ファクシミリ送信ジョブの受信あるいは非ファクシミリ送信ジョブの受信あるいは解除条件が満たされるのを待つ。解除条件を満たす場合には（Ｓ１４３：ＹＥＳ），ＭＦＰ１００はセッションを解除する（Ｓ１４４）。Ｓ１４４の後，セッション要求処理を終了する。
【００８２】
［通話処理］
続いて，ファクシミリ通信中に受話器４１の使用を制限する第２の形態における通話処理について，図７のフローチャートを参照しつつ説明する。なお，第２の形態の処理中，第１の形態と同じ処理については同じ符号を付して説明を省略する。
【００８３】
第２の形態の通話処理では，ＭＰＦ１００は先ず，外部装置からの要求に基づいてファクシミリ通信が行われているか否かを判断する（Ｓ２５１）。ファクシミリ通信が行われている場合，すなわち外部装置がＭＦＰ１００の電話回線インターフェース３７を使用中の場合（Ｓ２５１：ＹＥＳ），受話器４１の使用を制限する（Ｓ１６１）。Ｓ１６１は，制限処理の一例である。さらに，ＭＦＰ１００は，電話回線が使用中である旨のメッセージを操作パネル４０に報知させる（Ｓ１６２）。Ｓ１６２は，第２制限報知処理の一例である。
【００８４】
その後，ＭＦＰ１００は，ファクシミリ通信が継続して実行されているか否かを判断する（Ｓ２６３）。ファクシミリ通信が継続して実行されている場合（Ｓ２６３：ＹＥＳ），ＭＦＰ１００は受話器４１が元の位置に戻された否かを判断する（Ｓ１７１）。受話器４１が元の位置に戻されていない場合には（Ｓ１７１：ＮＯ），Ｓ２６３に移行して，ファクシミリ通信の終了あるいは受話器４１が元の位置に戻されるのを待つ。受話器４１が元の位置に戻された場合には（Ｓ１７１：ＹＥＳ），通話処理を終了する。
【００８５】
一方，ファクシミリ通信が終了した場合（Ｓ２６３：ＮＯ），ＭＦＰ１００は受話器４１を使用である旨を操作パネル４０に報知させる（Ｓ１６４）。Ｓ１６４は，第２解除報知処理の一例である。また，Ｓ２６３でＮＯの場合からＳ１９１に移行する処理は，第２解除処理の一例である。
【００８６】
Ｓ１６４の後，あるいはファクシミリ通信が行われていなければ（Ｓ２５１：ＮＯ），ＭＦＰ１００は通話の開始条件を満たしたか否かを判断する（Ｓ１９１）。通話の開始条件を満たした場合には（Ｓ１９１：ＹＥＳ），通話を開始する（Ｓ１９２）。
【００８７】
Ｓ１９２の後，あるいは通話の開始条件を満たしていない場合（Ｓ１９１：ＮＯ），ＭＦＰ１００は受話器４１が元の位置に戻されたか否かを判断する（Ｓ１９３）。受話器４１が元の位置に戻されていない場合には（Ｓ１９３：ＮＯ），Ｓ１９１に移行して，受話器４１が元の位置に戻されるあるいは通話の開始条件が満たされるのを待つ。受話器４１が元の位置に戻された場合には（Ｓ１９３：ＹＥＳ），通話処理を終了する。
【００８８】
以上詳細に説明したように第２の形態では，ＭＦＰ１００は，受話器４１を使用する期間と，無線ＬＡＮインターフェース３６を介してモバイル装置２００からの要求に基づくファクシミリ通信を行う期間と，を排他的に制御する。これにより，ＭＦＰ１００では，第１の形態と同様に，通話機能と，ファクシミリ機能とが，同時に実行される機会が低減される。そのため，相互の機能への悪影響の軽減が期待できる。
【００８９】
また，第２の形態では，受話器４１が使用されている場合に，モバイル装置２００からのファクシミリ送信ジョブの実行を制限するものの，非ファクシミリ送信ジョブの実行を制限しない。そのため，第１の形態と比較して，モバイル装置２００のユーザにとって利便性が良い。一方，第１の形態では，受話器４１が使用されている場合に，モバイル装置２００からのファクシミリ送信ジョブを含む全てのジョブの実行を制限する。そのため，第２の形態と比較して，より確実に通話機能への影響を回避できる。
【００９０】
なお，本実施の形態は単なる例示にすぎず，本発明を何ら限定するものではない。したがって本発明は当然に，その要旨を逸脱しない範囲内で種々の改良，変形が可能である。例えば，画像形成装置は，ファクシミリ通信によるデータの送信機能と通話機能とを有していればよく，読取機能や印刷機能を有していない装置であってもよい。
【００９１】
また，実施の形態では，無線通信としてＷｉＦｉを採用しているが，無線通信の種類はこれらに限るものではない。例えば，ＮＦＣ，Bluetooth（登録商標），TransferJetであってもよい。
【００９２】
また，実施の形態では，ＭＦＰ１００が外部装置と無線通信によって接続しているが，有線接続であってもよい。この場合，ＭＦＰ１００と外部装置との間でセッションを形成する必要はない。そのため，セッション要求処理に相当する処理を，ジョブを受け付けたことを契機に実行し，セッションに関する処理は省略すればよい。
【００９３】
また，実施の形態では，受話器４１の使用やファクシミリ送信ジョブの実行を制限した場合に，その旨を報知し，さらに制限が解除された場合にも，その旨を報知しているが，これらの報知は行わなくてもよい。ただし，報知を行った方が利便性がよい。
【００９４】
また，実施の形態では，モバイル装置２００がＭＦＰ１００に対して要求を行う際にセッションを形成し，他のデバイスからのアクセスを制限しているが，他のデバイスのアクセスを制限しなくてもよい。すなわち，複数のデバイスに対してセッションを形成してもよい。この場合，ＭＦＰ１００は，複数のデバイスのいずれかのファクシミリ送信ジョブを実行中であれば受話器４１の使用を制限し，受話器４１が使用中であれば複数のデバイスの全てでファクシミリ送信ジョブの実行を制限すればよい。
【００９５】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００９６】
３６    無線ＬＡＮインターフェース
３７    電話回線インターフェース
４１    受話器
１００  ＭＦＰ
２００  モバイル装置
３００  ファクシミリ装置
４００  電話器
９００  画像処理システム
【図１】
0006390191.tif 000002
【図２】
0006390191.tif 000003
【図３】
0006390191.tif 000004
【図４】
0006390191.tif 000005
【図５】
0006390191.tif 000006
【図６】
0006390191.tif 000007
【図７】
0006390191.tif 000008